(57)【要約】【課題】プログラムの書き換えや更新を確実に通知する。【解決手段】プログラムを配布するサーバ１０および少なくとも１つ以上の電話端末２０と通信可能に接続されたルータ装置１００において、ルータ装置１００に導入されているプログラムの書き換えまたは更新に関する更新情報であり、サーバ１０から提供される更新情報を検知する検知手段１２０と、検知手段１２０が更新情報を検知したとき、更新情報を検知したことを電話端末２０に通知する通知手段１３０とを備える。【選択図】  図１
2005333239.tif 000002
【特許請求の範囲】
【請求項１】
プログラムを配布するサーバ及び少なくとも１つ以上の電話端末と通信可能に接続されたルータ装置において、
前記ルータ装置に導入されているプログラムの書き換えまたは更新に関する更新情報であり、前記サーバから提供される更新情報を検知する検知手段と、
前記検知手段が前記更新情報を検知したとき、前記更新情報を検知したことを前記電話端末に通知する通知手段とを備えたこと
を特徴とするルータ装置。
【請求項２】
前記通知手段は、前記電話端末を鳴動させて通知すること
を特徴とする請求項１記載のルータ装置。
【請求項３】
前記通知手段は、前記電話端末を鳴動させた後、前記電話端末のオフフックを検出したときトーキ用の音声信号を前記電話端末に送信すること
を特徴とする請求項２記載のルータ装置。
【請求項４】
前記通知手段は、前記電話端末を鳴動させた後、前記電話端末のオフフックを検出したとき特定のダイアルトーンを表す音声信号を前記電話端末に送信すること
を特徴とする請求項２記載のルータ装置。
【請求項５】
前記通知手段は、前記電話端末を鳴動させると共に、文字を表す文字情報を前記電話端末に送信すること
を特徴とする請求項２に記載のルータ装置。
【請求項６】
プログラムを配布するサーバおよび少なくとも１つ以上の電話端末と通信可能に接続されたルータ装置に実行させるデータ転送方法であって、
前記ルータ装置に導入されているプログラムの書き換えまたは更新に関する更新情報を検知する検知ステップと、
前記検知ステップが前記更新情報を検知したとき、前記更新情報を検知したことを前記電話端末に通知する通知ステップとを有すること
を特徴とするデータ転送方法。
【請求項７】
前記通知ステップで前記電話端末を鳴動させて通知すること
を特徴とする請求項６のデータ転送方法。
【請求項８】
前記通知ステップで前記電話端末を鳴動させた後、前記電話端末のオフフックを検出したときトーキ用の音声信号を前記電話端末に送信するステップを前記ルータ装置に実行させること
を特徴とする請求項７記載のデータ転送方法。
【請求項９】
コンピュータを請求項１から５のいずれか１項に記載の端末操作装置を構成する手段として機能させるためのプログラム。
【請求項１０】
コンピュータを請求項１から５のいずれか１項に記載の端末操作装置を構成する手段として機能させるためのプログラムを記録したコンピュータ読取可能な記録媒体。
【発明の詳細な説明】
【技術分野】
【０００１】
本発明は、電話端末と通信可能に接続され、ネットワークにデータを転送するデータ転送方法及びルータ装置、プログラム並びに記録媒体に関する。
【背景技術】
【０００２】
従来のルータ装置としては、電話端末を収容し、収容した電話端末と他の電話端末との間で送受される音声信号を中継することにより、電話端末を利用する利用者に通話させるものが知られている（例えば特許文献１参照）。
【０００３】
また、従来のルータ装置は、家庭内やオフィス内に設置され、ファームウエアを配布するファームウェアセンタ内に設置されているサーバとインターネットを介して接続されている。ファームウェアセンタ内に設置されているサーバには、ルータ装置に導入されているファームウエアの書き換えまたは更新に関する更新情報が格納されており、サーバは、更新情報が示す新しいファームウエアや書き換えに関する情報をルータ装置に提供する。
【０００４】
サーバから新しいファームウェアが提供されるときには、ルータ装置は、ルータ装置に具備されているランプを点滅させるヒとにより、新しいファームウエアがサーバに存在することを利用者に通知していた。
【特許文献１】特開２０００−１２５００４号公報（第３頁、第１図）
【発明の開示】
【発明が解決しようとする課題】
【０００５】
しかしながら、サーバから新しいファームウエアが提供されるとき、利用者がランプの点滅を目視することが必要であり、従来のルータ装置が分電器内やボックス内に設置されていると、利用者が新しいファームウエアの通知に気が付かないという課題が残されていた。
【０００６】
本発明は、かかる事情に鑑みなされたもので、その目的は、ファームウエアを含むプログラムの書き換えや更新を確実に通知することができるデータ転送方法及びルータ装置、プログラム並びに記録媒体の提供にある。
【課題を解決するための手段】
【０００７】
本発明のルータ装置は、プログラムを配布するサーバ及び少なくとも１つ以上の電話端末と通信可能に接続されたルータ装置において、
前記ルータ装置に導入されているプログラムの書き換えまたは更新に関する更新情報であり、前記サーバから提供される更新情報を検知する検知手段と、
前記検知手段が前記更新情報を検知したとき、前記更新情報を検知したことを前記電話端末に通知する通知手段とを備えたことを特徴とする。
【０００８】
本発明によれば、更新情報が検知されたことを、電話端末を介して、利用者に通知するため、プログラムの書き換えや更新を確実に通知することができる。
【０００９】
前記ルータ装置において、前記通知手段は前記電話端末を鳴動させて通知するようにすると、更新情報が検知されたことを、電話端末を鳴動させて、利用者に通知するため、プログラムの書き換えや更新を聴覚的に通知することができる。
【００１０】
前記通知手段は、前記電話端末を鳴動させた後、前記電話端末のオフフックを検出したときトーキ用の音声信号を前記電話端末に送信するようにすると、プログラムの書き換えや更新を音声で通知することができる。
【００１１】
前記通知手段は、前記電話端末を鳴動させた後、前記電話端末のオフフックを検出したとき特定のダイアルトーンを表す音声信号を前記電話端末に送信するようにすると、プログラムの書き換えや更新を特定のダイアルトーンで通知することができる。
【００１２】
前記通知手段は、前記電話端末を鳴動させると共に、文字を表す文字情報を前記電話端末に送信すると、プログラムの書き換えや更新を視聴覚的に通知することができる。
【００１３】
本発明のデータ転送方法は、プログラムを配布するサーバおよび少なくとも１つ以上の電話端末と通信可能に接続されたルータ装置に実行させるデータ転送方法であって、前記ルータ装置に導入されているプログラムの書き換えまたは更新に関する更新情報を検知する検知ステップと、前記検知ステップが前記更新情報を検知したとき、前記更新情報を検知したことを前記電話端末に通知する通知ステップとを有することを特徴とする。
【００１４】
本発明によれば、更新情報が検知されたことを、電話端末を介して、利用者に通知するため、プログラムの書き換えや更新を確実に通知することができる。
【００１５】
前記データ転送方法において、前記通知ステップで前記電話端末を鳴動させて通知するようにすると、更新情報が検知されたことを、電話端末を鳴動させて、利用者に通知するため、プログラムの書き換えや更新を聴覚的に通知することができる。
【００１６】
また、前記通知ステップで前記電話端末を鳴動させた後、前記電話端末のオフフックを検出したときトーキ用の音声信号を前記電話端末に送信するステップを前記ルータ装置に実行させると、プログラムの書き換えや更新を音声で通知することができる。
【００１７】
さらに、前記通知ステップで前記電話端末を鳴動させた後、前記電話端末のオフフックを検出したとき特定のダイアルトーンを表す音声信号前記電話端末に送信するステップをルータ装置に実行させると、電話端末のオフフックを検出したとき特定のダイアルトーンを表す音声信号を電話端末に送信するため、プログラムの書き換えや更新を特定のダイアルトーンで通知することができる。
【００１８】
また、前記通知ステップで前記電話端末を鳴動させると共に、文字を表す文字情報を電話端末に送信するステップをルータ装置に実行させると、電話端末を鳴動させると共に、文字を表す文字情報を電話端末に送信するため、プログラムの書き換えや更新を視聴覚的に通知することができる。
【００１９】
以上のデータ転送方法及びルータ装置は、コンピュータとプログラムによっても実現できる。すなわち、コンピュータを請求項１から５のいずれか１項に記載のデータ転送装置を構成する手段として機能させるためのプログラムをコンピュータ読み取り可能な記録媒体に記録することやネットワークを通して提供すればコンピュータによって実施可能である。前記記録媒体としては、例えばフレキシブルディスクや、ＭＯ、ＲＯＭ、メモリカード、ＣＤ、ＤＶＤ、リムーバルディスク等が挙げられる。
【発明の効果】
【００２０】
以上のように本発明のデータ転送方法及びルータ装置、プログラム並びに記録媒体によれば、プログラムの書き換えや更新を確実に通知することができる。
【発明を実施するための最良の形態】
【００２１】
以下、図面を参照しながら本発明の実施の形態について説明する。
【００２２】
図１は、本発明の実施の形態に係る通信システムのブロック構成図である。図１に示すように、通信システムは、サーバ１０、電話端末２０、およびルータ装置１００を有している。
【００２３】
サーバ１０は、ネットワーク３０を介してルータ装置１００と接続されており、ファームウエアを含むプログラムをルータ装置１００に配布するようになっている。また、サーバ１０は、ラァームウエアセンタなどに設置されている。なお、ネットワーク３０は、インターネットなどを用いてもよい。
【００２４】
電話端末２０は、ルータ装置１００と接続されており、受話器、ダイヤル用のボタン、及び文字を表示可能な表示部などを備えている。また、電話端末２０は、アナログ用電話端末またはＶｏＩＰ（Ｖｏｉｃｅ ｏｖｅｒ ＩＰ）用端末でもよい。
【００２５】
ルータ装置１００は、電話端末２０を収容し、収容した電話端末２０と他の電話端末との間で送受される音声信号を中継するようになっている。また、ルータ装置１００は、電話端末２０に加えてＰＣ（Ｐｅｒｓｏｎａｌ Ｃｏｍｐｕｔｅｒ）を収容するようにしてもよい。尚、ルータ装置１００は、家庭内またはオフィス内などに設置される。
【００２６】
図２は、本発明の実施の形態に係るルータ装置のハードウエア構成を示す概略図である。
【００２７】
ＣＰＵ１０１は、ルータ装置１００に関するプログラムを実行するようになっている。メモリ部１０２は、ＣＰＵ１０１が読み出すプログラム、ＣＰＵ１０１を立ち上げるためのプログラム、その他のプログラム、及び制御用のデータ等を不揮発にまたは書替可能に記憶するメモリや、ＣＰＵ１０１の動作中にＣＰＵ１０１の動作に要するプログラムやデータ等を記憶する揮発性メモリなどによって構成される。
【００２８】
また、ネットワークインタフェース１０３は、ネットワーク３０に接続されている装置および電話端末２０と所定の通信プロトコルに準拠して通信するようになっている。ディスプレイ１０４は、液晶ディスプレイなどによって構成され、ルータ装置１００の状態を表示するようになっている。
【００２９】
ルータ装置１００は、ルーティング手段１１０と、検知手段１２０と、通知手段１３０とを備える。これらの手段は、ＣＰＵ１０１によって実行されるプログラムのモジュールでもよい。
【００３０】
ルーティング手段１１０は、ルータ装置１００が収容する端末とネットワーク３０に接続されている装置との間で送受される情報を、ネットワークインタフェース１０３を介して、中継するようになっている。
【００３１】
検知手段１２０は、ルータ装置１００に導入されているプログラムの書き換えまたは更新に関する更新情報であり、サーバ１０から提供される更新情報を検知するようになっている。
【００３２】
例えば、検知手段１２０は、ネットワークインタフェース１０３を介してサーバ１０と通信し、サーバ１０に格納されている更新情報の有無を定期的に確認することにより、更新情報を検知するようにしてもよい。また、サーバ１０がルータ装置１００に更新情報をルータ装置１００に送信し、検知手段１２０は、サーバ１０から送信された更新情報を、ネットワークインタフェース１０３を介して、受信して検知するようにしてもよい。
【００３３】
通知手段１３０は、検知手段１２０が更新情報を検知したとき、更新情報を検知したことを、ネットワークインタフェース１０３を介して、電話端末２０に通知するようになっている。
【００３４】
例えば、検知手段１２０が更新情報を検知したとき、通知手段１３０は、鳴動させるための信号を電話端末２０に送信することにより、電話端末２０を鳴動させて通知するようになっている。また、通知手段１３０は、電話端末２０を鳴動させた後、電話端末２０のオフフックを、ネットワークインタフェース１０３を介して、検出したとき、トーキ用の音声信号を電話端末２０に送信するようになっている。
【００３５】
尚、トーキ用の音声としては、例えば「ファームウエアが変更されました」など、更新情報を検知した旨の音声である。音声信号としては、文字を表す文字情報すなわちテキストデータを音声データに変換する技術である音声合成の技術を用いて、更新情報を検知した旨のテキストのデータを予めメモリ部１０２に格納しておき、格納されているテキストのデータに基づいて音声合成し、音声合成した音声信号でもよい。
【００３６】
さらに、通知手段１３０は、電話端末２０を鳴動させた後、電話端末２０のオフフックを検出したとき特定のダイアルトーンを表す音声信号を電話端末２０に送信するようにしてもよい。
【００３７】
さらに、通知手段１３０は、電話端末２０を鳴動させると共に、文字を表す文字情報を電話端末２０に送信するようにしてもよい。文字情報を受信した電話端末２０は、受信した文字情報に応じて文字を表示部に表示させるようになっている。尚、文字情報としては、例えば「ファームウエアが変更されました」など、更新情報を検知した旨の文李を表す情報である。
【００３８】
以下、本発明の実施の形態に係るルータ装置が実行するプログラムについて、図面を参照しながら説明する。図３は、本発明の実施の形態に係るルータ装置の動作を説明したフローチャートである。
【００３９】
先ず、プログラムの書き換えまたは更新に関する更新情報を検知したか否か、検知手段１２０によって確認される（Ｓ１０１）。
【００４０】
更新情報が検知手段１２０によって検知されたとき、鳴動させるための信号が、通知手段１３０によって電話端末２０に送信されることにより、電話端末２０を鳴動させて通知する（Ｓ１０２）。尚、電話端末２０を鳴動させると共に、更新情報を検知した旨を表す文字情報が、通知手段１３０によって電話端末２０に送信されるようにしてもよい。
【００４１】
次に、電話端末２０を鳴動させた後、電話端末２０のオフフックを検出したか否か、通知手段１３０によって確認される（Ｓ１０３）。
【００４２】
電話端末２０のオフフックを検出したとき、トーキ用の音声信号が、通知手段１３０によって電話端末２０に送信される（Ｓ１０４）。尚、電話端末２０のオフフックを検出したとき、特定のダイアルトーンを表す音声信号が、通知手段１３０によって電話端末２０に送信されるようにしてもよい。
【００４３】
以上説明したように、本発明の実施の形態に係るデータ転送方法及びルータ装置によれば、更新情報が検知されたことを、電話端末２０を介して、利用者に通知するので、ファームウエアの書き換えや更新を確実に通知することができる。
【００４４】
また、更新情報が検知されたことを、電話端末２０を鳴動させて、利用者に通知するので、プログラムの書き換えや更新を聴覚的に通知することができる。
【００４５】
さらに、電話端末２０のオフフックを検出したとき、トーキ用の音声信号を電話端末２０に送信するので、プログラムの書き換えや更新を音声で通知することができる。
【００４６】
また、電話端末２０のオフフックを検出したとき特定のダイアルトーンを表す音声信号を電話端末２０に送信するので、プログラムの書き換えや更新を特定のダイアルトーンで通知することができる。
【００４７】
さらに、電話端末２０を鳴動させると共に、文字を表す文字清報を電話端末２０に送信するので、プログラムの書き換えや更新を視聴覚的に通知することができる。
【００４８】
本発明の端末データ転送方法及びルータ装置は、前述した実施形態に係る装置の機能を実現するソフトウェアのプログラムコードを記録したコンピュータ読み取り可能な記録媒体を、コンピュータに供給し、このコンピュータの演算手段が前記記憶媒体に格納されたプログラムコードを読み出し実行することによっても実現できる。この場合、記録媒体から読み出されたプログラムコード自体が上述した実施の形態の機能を実現することになり、このプログラムコードを記憶した記憶媒体、例えばフレキシブルディスク、ＣＤ−ＲＯＭ、ＤＶＤ−ＲＯＭ、ＣＤ−Ｒ、ＣＤ−ＲＷ、ＭＯ、ＨＤＤ等は本発明を構成するものである。
【００４９】
以上の本発明のデータ転送方法、ルータ装置、プログラム並びにその記録媒体は、ファームウエアの書き換えや更新を確実に通知することができるという効果を奏し、ネットワークにデータを転送する装置等、例えば、ＴＡ（Ｔｅｒｍｉｎａｌ Ａｄａｐｔｅｒ）の用途にも利用可能である。
【図面の簡単な説明】
【００５０】
【図１】本発明の実施の形態に係る通信システムのブロック構成図。
【図２】本発明の実施の形態に係るルータ装置のハードウエア構成を示す概略図。
【図３】本発明の実施の形態に係るルータ装置の動作例を説明したフローチャート。
【符号の説明】
【００５１】
１０…サーバ
２０…電話端末
３０…ネットワーク
１００…ルータ装置
１０１…ＣＰＵ
１０２…メモリ部
１０３…ネットワークインタフェース
１０４…ディスプレイ
１１０…ルーティング手段
１２０…検知手段
１３０…通知手段
【図１】
2005333239.tif 000003
【図２】
2005333239.tif 000004
【図３】
2005333239.tif 000005